(57)【要約】【課題】  被塗布物に薄くマイクロカプセル入り塗料を塗布する場合において、香りの発散効果を長期に亘って維持することができるマイクロカプセル入り塗料の薄膜形成方法を提供する。【解決手段】  マイクロカプセル入り塗料を被塗布物の表面に塗布して、前記香りマイクロカプセルの径とほぼ同一の膜厚又はこれよりも若干小さい膜厚の塗膜を形成し、この塗膜を形成した部分に、さらにマイクロカプセル入り塗料を一回又は複数回塗り重ねて、前記被塗布物の表面に、複数のマイクロカプセル入り塗料の塗膜からなる塗膜層を形成した。前記被塗布物の表面と、前記塗膜層との間に、少なくとも前記被塗布物に対して密着性の高い下地層を形成してもよい。【選択図】      図２
2005074356.tif 000002
【特許請求の範囲】
【請求項１】
マイクロカプセル入り塗料を被塗布物の表面に塗布して、前記マイクロカプセルの径とほぼ同一の膜厚又はこれよりも若干小さい膜厚の塗膜を形成し、
この塗膜を形成した部分に、さらに前記マイクロカプセル入り塗料を一回又は複数回塗り重ねて、前記被塗布物の表面に、複数のマイクロカプセル入り塗料の塗膜からなる塗膜層を形成したこと、
を特徴とするマイクロカプセル入り塗料の薄膜形成方法。
【請求項２】
前記被塗布物の表面と、前記塗膜層との間に、少なくとも前記被塗布物に対して密着性の高い下地層を形成したことを特徴とする請求項１に記載のマイクロカプセル入り塗料の薄膜形成方法。
【請求項３】
前記下地層が、前記マイクロカプセル入り塗料を構成する塗料母材と同一のものから形成されていることを特徴とする請求項２に記載のマイクロカプセル入り塗料の薄膜形成方法。
【請求項４】
前記下地層で、前記被塗布物の表面に文字、図形、記号等の模様を形成し、この下地層の上に、前記模様と同じ形態の前記塗膜層を形成したことを特徴とする請求項２又は３に記載のマイクロカプセル入り塗料の薄膜形成方法。
【請求項５】
前記下地層で、前記被塗布物の表面に文字、図形、記号等の模様を形成し、この下地層を被覆するように、前記透明なマイクロカプセル入り塗料の塗膜層を形成したことを特徴とする請求項２又は３に記載のマイクロカプセル入り塗料の薄膜形成方法。
【請求項６】
前記マイクロカプセルの単位面積当たりの含有量及び／又は大きさを、前記塗膜層を形成する部分によって異ならせたことを特徴とする請求項１〜５のいずれかに記載のマイクロカプセル入り塗料の薄膜形成方法。
【請求項７】
請求項６に記載のマイクロカプセル入り塗料の薄膜形成方法において、
前記マイクロカプセルの含有密度及び／又は大きさの異なるインクを複数準備し、
前記塗装又は模様を施す部分ごとに、前記マイクロカプセルの含有密度及び／又は大きさの異なるインクを使い分け、前記マイクロカプセルの単位面積当たりの含有量及び／又は大きさを異ならせたことを特徴とするマイクロカプセル入り塗料の薄膜形成方法。
【請求項８】
請求項６に記載のマイクロカプセル入り塗料の薄膜形成方法において、
異なる種類のマイクロカプセルを含有した複数種類のインクを準備し、前記塗装又は模様を施す部分によって、異なる機能が発揮されるようにしたことを特徴とするマイクロカプセル入り塗料の薄膜形成方法。
【請求項９】
請求項６に記載のマイクロカプセル入り塗料の薄膜形成方法において、
前記模様の密度を大小調整するか、前記模様又は塗装のインク被膜厚を調整することによって、前記マイクロカプセルの単位面積当たりの含有量を前記塗装又は模様を施す部分ごとに異ならせたことを特徴とするマイクロカプセル入り塗料の薄膜形成方法。
【請求項１０】
フレームと、このフレームに取り付けられた眼鏡つるとを有する眼鏡において、
請求項１〜９のいずれかに記載の方法を用いて、前記フレーム及び前記眼鏡つるの表面の少なくとも一部に、香りマイクロカプセル入りの塗料による塗膜層を形成したこと、
を特徴とする香り付き眼鏡。
【発明の詳細な説明】
【技術分野】
【０００１】
本発明は、マイクロカプセル入り塗料の塗膜形成方法及びこの方法を利用してフレーム及び眼鏡つるの表面の少なくとも一部に、香りマイクロカプセル入りの塗料で模様等を施した香り付きの眼鏡に関する。
【背景技術】
【０００２】
近年、長引く国内経済の低迷は、各地の地場産業にも大きく影響し、地場産業の多くが、中国に代表されるアジア諸国からの安価な輸入品によって、国内シェアが侵食されたり、国内売り上げが急速に落ち込んだりしているのが現状である。
このような状況下、地場産業の事業者の中には、自社オリジナルの製品の開発によって活路を見出そうとする動きが見られる。
その中で、香料入りの樹脂で眼鏡のフレームや眼鏡つる等の構成部品を形成することにより、これらの構成部品からよい香りを発散させ、癒し効果等を期待したものが提案されている（例えば、特許文献１参照）。
【０００３】
【特許文献１】特開平１１−２７１６８９号公報
【０００４】
この特許文献１に記載の眼鏡は、香りマイクロカプセルを利用したもので、眼鏡のデザインを損なうことなく香りを発散させることができ、かつ、眼鏡の設計にあたり意匠上の制約を受けることがなく、安価な価格で製造することができ、眼鏡の機能性の多様化を図ることができるという点で、注目すべき提案である。
このように、眼鏡の分野においても、一部の事業者によって地場産業活性化の試みはなされているものの、眼鏡産業の全体を復活させるには、さらに多くの試みが必要とされるところである。
【０００５】
ところで、香りマイクロカプセル入りの塗料は、主にカレンダーやポスターといった製品に用いられることが多く、広い面積に大量の香りマイクロカプセルを分散させることで、長期にわたって香りを発散させることが可能である。
【発明の開示】
【発明が解決しようとする課題】
【０００６】
しかし、眼鏡のように、カレンダーやポスターと比べて表面積がきわめて小さい製品に香りマイクロカプセル入り塗料を塗布すると、短期間で香り発散効果が低下するという問題がある。
【０００７】
また、眼鏡の表面に塗装を行う場合は、通常、塗膜の膜厚は数μｍ〜数十μｍ程度であるが、マイクロカプセルの径がこの膜厚とほぼ同じであるため、塗膜内にマトリクス状に分散したマイクロカプセルが、被塗布物に対する塗膜の密着力を低下させて、塗装や模様を剥げやすくするという問題がある。
この場合、膜厚よりも小さい径のマイクロカプセルを含有した塗料を利用することも考えられるが、マイクロカプセルの径を数μｍ以下に小さくすると、発散される香料の料が少なくなり、香り発散効果が低下するという問題が生じる。
【０００８】
本発明は、眼鏡のように、塗布面積が限定されている被塗布物に、薄くマイクロカプセル入り塗料を塗布する場合において、香りの発散効果を長期に亘って維持することができるマイクロカプセル入り塗料の薄膜形成方法を提供することを第一の目的とする。
また、本発明は、特許文献１に記載されたような香り付き眼鏡の分野において、さらなる多様性と機能性の向上を図ることのできる香り付き眼鏡の提供を第二の目的とする。
【課題を解決するための手段】
【０００９】
上記の第一の課題を解決するために、請求項１に記載の発明は、マイクロカプセル入り塗料を被塗布物の表面に塗布して、前記マイクロカプセルの径とほぼ同一の膜厚又はこれよりも若干小さい膜厚の塗膜を形成し、この塗膜を形成した部分に、さらにマイクロカプセル入り塗料を一回又は複数回塗り重ねて、前記被塗布物の表面に、複数のマイクロカプセル入り塗料の塗膜からなる塗膜層を形成した方法としてある。
【００１０】
このように、マイクロカプセルを含む塗膜を複数層、層状に形成することで、限られた領域内に多数個のマイクロカプセルを含ませることができる。
また、本発明の発明者は、マイクロカプセルを含む塗膜層が層剥離しやすいという性質に着眼し、使用済みのマイクロカプセルを含む層を上から順に剥がすことで、新しいマイクロカプセルを含む塗膜が次々と被塗布物の表面に現れ、マイクロカプセルの効果を長期にわたって持続させることができるようにした。
請求項２に記載の発明は、前記被塗布物の表面と、前記塗膜層との間に、少なくとも前記被塗布物に対して密着性の高い下地層を形成した方法としてあるこの場合、前記下地層が、前記マイクロカプセル入り塗料を構成する塗料母材と同一のものから形成するとよい。
【００１１】
前記したように、マイクロカプセルを含む塗膜層は、層剥離しやすい性質がある。そこで、このような下地層を形成することで、被塗布物と塗膜層との密着性を高めることができる。
なお、前記下地層は、前記被塗布物との密着度が高く、容易に剥がれないものであればよい。もちろん、マイクロカプセル入り塗料との密着性の高いものを用いてもよい。
【００１２】
また、請求項４に記載するように、前記下地層で、前記被塗布物の表面に文字、図形、記号等の模様を形成し、この下地層の上に、前記模様と同じ形態の前記塗膜層を形成するとよい。あるいは、請求項５に記載するように、前記下地層で、前記被塗布物の表面に文字、図形、記号等の模様を形成し、この下地層を被覆するように、前記透明なマイクロカプセル入り塗料の塗膜層を形成するとよい。
このようにすることで、マイクロカプセルを含む塗膜層が剥がれても、下地層は強固に被塗布物に密着しているので、模様自体が被塗布物から剥がれるという不都合は生じない。また、透明な塗膜層を下地層の上に形成するこで、下地層で形成した文字や図形等の模様を見ることができる。
【００１３】
被塗布物において、利用者が頻繁に触る部分は、マイクロカプセルの消費が、他の部分に比して早く、香りの発散等の機能が時間とともに低下する。そこで、請求項６に記載するように、前記マイクロカプセルの単位面積当たりの含有量を、前記塗装又は模様を施す部分によって異ならせ、利用者が頻繁に触る部分についても、他の部分と同じくらい長期間、香り発散等の機能を維持できるようにするとよい。
また、マイクロカプセルの大きさを大小調整することで、例えば、香りの強さの強弱を調整することができるようになる。
【００１４】
請求項７に記載するように、前記マイクロカプセルの含有密度及び／又は大きさの異なるインクを複数種類準備し、前記塗装又は模様を施す部分ごとに、前記マイクロカプセルの含有密度及び／又は大きさの異なるインクを使い分けることで、塗装や模様を施したときに、部分ごとに、前記マイクロカプセルの単位面積当たりの含有量やマイクロカプセルの大きさを異ならせることができる。
請求項８に記載の発明は、例えば発散される香りの異なる香りマイクロカプセルのように、機能の異なるマイクロカプセルを含有した複数種類のインクを準備し、前記塗装又は模様を施す部分によって、異なる機能が発揮されるように構成してある。
このようにすることで、被塗装材料の異なる部分で、例えば、異なる香りを楽しむことができる。
【００１５】
また、請求項９に記載するように、前記模様の密度を大小調整するか、前記模様又は塗装の膜厚を調整することによって、模様や塗装を施した部分ごとに、前記マイクロカプセルの単位面積当たりの含有量を異ならせることができる。
本発明の第二の目的を達成するために、請求項１０に記載の発明は、フレームと、このフレームに取り付けられた眼鏡つるとを有する眼鏡において、上記のいずれかの方法を用いて、前記フレーム及び前記眼鏡つるの表面の少なくとも一部に、香りマイクロカプセル入りの塗料による塗膜層を形成した構成としてある。
【００１６】
このように、香りマイクロカプセルを含有した塗料を使って、フレームや眼鏡つるの任意の部分に塗装や模様を施すことで、眼鏡に香りを付けることができる。また、香りマイクロカプセルを含有する塗料は、従来から眼鏡の模様付け等に用いられているスクリーン印刷等を利用することができるので、低コストで簡単に香り付き眼鏡を生産することができる。
【００１７】
塗膜層中の香りマイクロカプセルは、物理的な刺激を加えることで、上層側の塗膜のものから破壊して香料が発散される。そのため、利用者が頻繁に手等を触れる部分に塗装又は模様を施すことで、効率よく香りの発散させることができる。
また、香りマイクロカプセル含む塗膜層は、塗膜層の膜厚とほぼ同一径又はこれより若干大きいマイクロカプセルが、多数マトリクス状に塗膜内に存在しているため、比較的密着力が弱く、層剥離しやすい。この層剥離は、利用者が手を触れる上層側から順に起こるから、次々に新しい塗膜が現れて、長期間香りの発散を持続させることができる。また、下地層を施したものは、全ての塗膜が剥離しても、素地に対して強固に密着しているので、文字、図形、記号等の模様が眼鏡の表面から剥離するという不都合は生じない。
【発明の効果】
【００１８】
本発明によれば、眼鏡のように、表面積が小さい被塗布物にマイクロカプセル入りインクを使って模様や塗装等を施す場合に、マイクロカプセルによる香り発散効果等の機能を長く維持させることができる。
また、下地層を形成することで、マイクロカプセル入りインクと被塗布物との密着性を高めることができるほか、下地層によって模様や塗装を形成させることで、マイクロカプセル入りインクによる塗膜が剥がれても、模様や塗装の剥げを防止することができる。
さらに、本発明を、眼鏡に適用することで、バラエティーに富み、かつ、長期に亘り香りを楽しむことができる香り付き眼鏡を得ることができる。
【発明を実施するための最良の形態】
【００１９】
［発明の実施の形態］
以下、図面を参照しながら、本発明にかかるマイクロカプセル入り塗料の薄膜形成方法及びこの方法を利用した香り付き眼鏡の好適な実施形態を説明する。
【００２０】
まず、図１を参照しながら、本発明に用いられる眼鏡の構成を説明する。
図１は、眼鏡の一実施形態にかかり、その全体構成を示す斜視図である。
眼鏡１は、レンズ１０，１０と、このレンズ１０，１０を支持する左右一対のリム１１，１１と、この左右一対のリム１１，１１の間に設けられた鼻パッド１３と、左右一対のリム１１，１１を連結するブリッジ１２と、リム１１，１１の外側に配置され、リム１１，１１に対して折り畳み自在に取り付けられた一対のテンプル１４，１４とを有している。
【００２１】
テンプル１４，１４の一端は、蝶番１５，１５を介して、リム１１，１１の両側に取り付けられた智（ヨロイ）１６，１６に連結され、他端には、樹脂等からなるモダン１７，１７が取り付けられている。
この実施形態において、眼鏡つるは、テンプル１４，１４と、蝶番１５，１５と、智１６，１６と、モダン１７，１７とから構成される。
また、この実施形態において、フレームは、リム１１，１１と、ブリッジ１２とから構成される。
なお、眼鏡つる及びフレームは、チタン合金などの金属を主体とするものであってもよいし、フェノール樹脂やアセテート樹脂などの樹脂を主体とするのものであってもよい。
【００２２】
この実施形態では、マイクロカプセル入り塗料として香りマイクロカプセル入りインクを使って、文字、図形、記号等の模様や塗装を、フレーム及び眼鏡つるの少なくとも一部に施すものとする。
使用する香りマイクロカプセル入りインクは、揮発性の液体香料を香りマイクロカプセル化して、インク母材に混入させた公知のものである。インク母材には、適宜に顔料を混入させてもよい。この香りマイクロカプセル入りインクを用いて、スクリーン印刷やＰＡＤ印刷、手塗り等で、眼鏡つるやフレームの表面に模様や塗装を施す。この場合、眼鏡装着時に利用者の身体の一部と常時接触する部分、例えば、モダン１７の内側の一部には、模様や塗装を施さないようにするか、香りマイクロカプセルを含まないインクを用いて、模様や塗装を施すようにするとよい。
【００２３】
眼鏡つるやフレームの表面に施す模様や塗装の膜厚は、数μｍ〜数十μｍ程度である。香りマイクロカプセルの径は、この膜厚とほぼ同じか、僅かに大きいものを用いるとよい。なお、模様や塗装の膜厚及び香りマイクロカプセルの大きさを、上記の範囲内で適宜に選択することで、香りの強さを調整することができる。具体的には、径の大きい香りマイクロカプセルを使用することで、一度に発散される香料の量を多くして香りを強くすることができ、径を小さくすることで、香りの強さを抑制することができる。
【００２４】
ところで、前記したように、香りマイクロカプセル入りインクの塗膜の膜厚は、香りマイクロカプセルの径とほぼ同じであり、そのため、塗膜内にマイクロカプセルがマトリクス状に分散して、フレームや眼鏡つるの表面に対する香りマイクロカプセル入りインクの密着性を弱くしているという問題がある。
また、フレームや眼鏡つるのように表面積が小さく、かつ、香りマイクロカプセル入りインクの塗膜も薄い場合には、塗膜内に含まれる香りマイクロカプセルの数が少なく、香りの発散効果を長く持続させることができないという問題がある。
【００２５】
そこで、この実施形態では、上記の問題を一挙に解決すべく、図２（ａ）に示すように、まず、フレームや眼鏡つるの表面１ａに下地材を塗布して下地層１８を形成し、しかる後、香りマイクロカプセル入りインクを一回又は複数回塗り重ねて、複数の塗膜１９ａ〜１９ｃからなる塗膜層１９を形成している。
前記した下地材としては、少なくとも、フレームや眼鏡つるの表面１ａとの密着性が良いものを用いる。香りマイクロカプセル入りインクとも密着性が良いものであってもよい。このような条件を満たすものであれば、香りマイクロカプセル入りインクを構成しているインク母材を主体とするものであってもよい。
下地材は、眼鏡１の表面１ａに形成しようとする文字、図形、記号等の模様や塗装の色に応じた顔料を含むものを使用し、前記模様を付す場合は、この模様の形状に合わせて、下地層１８を形成する。
【００２６】
香りマイクロカプセル入りインクとしては、下地層１８による模様や塗装が透けて見えるように顔料を含まないものを用いることができる。また、下地層１８と同じ色の顔料を含むものを用いてもよい。この場合は、下地層１８で形成した模様と同一の模様を形成するように、下地層１８の上に香りマイクロカプセル入りインクを塗り重ねる。
このようにすれば、香りマイクロカプセル入りインクによる塗膜１９ａ，１９ｂ，１９ｃが全て剥がれてしまっても、下地層１８は剥がれずに表面１ａに強固に密着した状態で残るので、模様剥げや色剥げ等の不都合は生じない。
【００２７】
また、塗膜１９ａ，１９ｂ，１９ｃは、利用者が触って香りマイクロカプセルＭＣを破壊することで、香りが発散される。使用済みの香りマイクロカプセルＭＣ′を含む塗膜（例えば塗膜１９ｃ）は、図２（ｂ）に示すように、利用者が触ることで剥がれて、新たな塗膜（例えば塗膜１９ｂ）が出現する。このように、マイクロカプセルの使用後に新たな塗膜が次々と現れて、香り発散効果を長く持続することができる。
【００２８】
また、上記のように複数の香りマイクロカプセル入りインクによる塗膜層１９を形成しても、利用者が頻繁に触る部分、例えば、モダン１７の部分等は、他の部分に比して香り発散効果の低下が早くなる。
そこで、模様や塗装の密度や、香りマイクロカプセル入りインクに含まれる香りマイクロカプセルの含有量等を調整して、香りマイクロカプセルの消費が大きい部分、つまり、利用者が頻繁に手で触れる部分における単位面積当たりの香りマイクロカプセルの含有量（含有個数）を、他の部分よりも多くしている。
【００２９】
含有量の調節は、塗膜層を構成する塗膜の数を部分ごとに異ならせることで行うことができるが、この実施形態では、図３に示すように、単位面積当たりの模様１７ａの密度を変化させることで、香りマイクロカプセルＭＣの含有量を調整することができる。
図３（ａ）は、モダン１７の図１における部分Ａに、模様１７ａを高い密度で施した場合を、図３（ｂ）は、モダン１７の図１における部分Ｂに、模様１７ａを小さい密度で施した場合を示している。
図３（ａ）の模様１７ａの方が、図３（ｂ）の模様１７ｂよりも、単位面積換算で香りマイクロカプセルＭＣの個数が多くなる。
【００３０】
もちろん、密度や含有量だけでなく、模様や塗装を施す部分ごとに、香りマイクロカプセルＭＣの大きさを変化させることも可能である。また、異なる香りを発散させる異なる種類の香りマイクロカプセルを含有する複数種類のインクを使い分けることで、例えばフレーム部分と眼鏡つる部分とで異なる香りが発散されるようにすることも可能である。
さらに、塗膜１９ａ，１９ｂ，１９ｃごとに異なる香りの香りマイクロカプセルを用いたインクで塗り分けることで、香り発散の初期と終期とで、異なる香りを楽しめるようにすることも可能である。
【００３１】
本発明の好適な実施形態について説明したが、本発明は上記の実施形態により限定されるものではない。本発明の技術的範囲を逸脱しない範囲内で、種々に変更することが可能である。
例えば、上記の説明では、マイクロカプセル入り塗料として、香りを発散させる香りマイクロカプセルを含んだ塗料を例に挙げて説明したが、香り以外の他の機能を有するマイクロカプセルを含んだ塗料であってもよい。
また、塗膜１９ａ，１９ｂ，１９ｃごとにマイクロカプセルの密度を変えるようにしてもよい。例えば、塗膜１９ａ，１９ｂ，１９ｃごとにマイクロカプセルの密度を変えるようにしてもよい。例えば、上側（塗膜１９ｃ側）から順に密度が小さくなるようにすることで、上側から順に塗膜が剥がれやすくするようにすることも可能である。
【産業上の利用可能性】
【００３２】
本発明の塗膜形成方法は、眼鏡に限らず、ライター、携帯電話、パーソナルコンピュータ、万年筆、オーディオ機器等、あらゆる製品に適用することが可能である。
【図面の簡単な説明】
【００３３】
【図１】本発明の第一の実施形態にかかる香り付き眼鏡の分解斜視図である。
【図２】この実施形態における下地層と塗膜層との構成を説明する拡大断面図で、（ａ）は、眼鏡の使用開始前のものを、（ｂ）は、最上層に位置する塗膜が剥がれる様子を示している。
【図３】利用者が頻繁に触れる部分の香りマイクロカプセルの含有量を大きくするための手段を説明する図である。
【符号の説明】
【００３４】
１  眼鏡（香り付き眼鏡）
１０  レンズ
１１  リム
１２  ブリッジ
１３  パッド
１４  テンプル
１５  蝶番
１６  智
１７  モダン
１７ａ  模様又は塗装
１８  下地層
１９  塗膜層
１９ａ，１９ｂ，１９ｃ  塗膜
ＭＣ  香りマイクロカプセル
ＭＣ′  使用済みの香りマイクロカプセル
【図１】
2005074356.tif 000003
【図２】
2005074356.tif 000004
【図３】
2005074356.tif 000005